(57)【特許請求の範囲】
【請求項１】
搬送部（３）にて搬送される被検査物にＸ線を曝射し、このＸ線の曝射に伴って前記被検査物を透過するＸ線の透過量から前記被検査物中の異物の有無を検出するＸ線異物検出装置において、前記搬送部の周囲を覆い、Ｘ線の漏洩を防止する被覆部（１１）と、前記被覆部の少なくとも一部が、前記搬送部の下側を覆う部位に連なる下端部を支点にして下方に開閉可能とされ、開放した際に上端部が前記下端部よりも下側に位置する所定角度で傾斜する開閉扉（１１ｅ）と、を備え、
さらに、前記開閉扉（１１ｅ）の周縁にて内側に立設されて、閉鎖時のＸ線の漏洩を防止する縁板（１６）と、
前記開閉扉の前記上端部における前記縁板の一カ所乃至複数箇所を完全に切り欠いて形成され、該完全に切り欠いて形成された部分を介して水抜きを行う水抜部（１７）と、
前記開閉扉の閉鎖時に前記水抜部を塞ぐ閉塞部材（２０）と、
を備えたことを特徴とするＸ線異物検出装置。
【請求項２】
前記閉塞部材（２０）は、前記水抜部（１７）に嵌挿する板体により形成されたことを特徴とする請求項１に記載のＸ線異物検出装置。
【請求項３】
前記開閉扉（１１ｅ）の閉鎖状態を係止する係止機構（１８）と、
該係止機構における前記開閉扉の内側面の部位を覆う防水ケース（１９）と、
を備えたことを特徴とする請求項１あるいは請求項２記載のＸ線異物検出装置。
【発明の詳細な説明】
【０００１】
【発明の属する技術分野】
本発明は、例えば生肉、魚、加工食品、医薬などの各品種の被検査物に対し、Ｘ線を曝射したときのＸ線の透過量から被検査物中の異物を検出するＸ線異物検出装置にかかり、特に、清掃を好適に行えるようにしたＸ線異物検出装置に関する。
【０００２】
【従来の技術】
従来より、例えば生肉、魚、加工食品、医薬などの各品種の被検査物中（表面も含む）の異物（金属，骨，ガラス，石，合成樹脂材等）を検出するためにＸ線異物検出装置が用いられている。この種のＸ線異物検出装置は、装置本体の上側にＸ線発生部を取り付け、且つ、装置本体におけるＸ線発生部の下側となる位置にＸ線検出部を取り付けている。これにより、Ｘ線発生部から曝射されたＸ線をＸ線検出部にて受けるようにしている。また、装置本体には、曝射されたＸ線の間に被検査物を通す搬送部が取り付けられている。搬送部は、装置本体における搬送方向の前後となる位置にそれぞれローラを配し、このローラの間にベルトを掛け回している。ローラの何れかは、装置本体に取り付けられたモータ等の駆動機が連結されて駆動される。ベルトは、ローラの駆動により循環する。これにより、Ｘ線異物検出装置は、ベルト上を搬送された被検査物にＸ線を曝射し、この被検査物を透過した透過Ｘ線をＸ線検出部にて受けることで被検査物中に含まれる異物を検出する。
【０００３】
また、上記Ｘ線異物検出装置では、Ｘ線発生部，Ｘ線検出部および搬送部が、Ｘ線の漏洩を防ぐように覆われている。特に、搬送部にかかる部分は、搬送方向の前後のカバーと、上下のカバーと、背面および正面のカバーとにより覆われている。前後のカバーには、被検査物を通過させる開口部がある。
【０００４】
【発明が解決しようとする課題】
しかしながら、上述した従来のＸ線異物検出装置では搬送部から流れ落ちたゴミがカバー内に滞留すると、そのゴミから雑菌が繁殖して不衛生となる。従来では、正面のカバーを開放可能とし、そこから洗浄水を流してゴミを取り出している。ところが、正面のカバーの外周縁には、Ｘ線の漏洩を防止する縁板が立設されているため、洗浄水およびゴミが前記縁板に滞留するおそれがあるという問題があった。
【０００５】
そこで本発明は、上記課題を解消するために、ゴミの滞留をなくし清掃性を向上させて衛生に適することができるＸ線異物検出装置を提供することを目的としている。
【０００６】
【課題を解決するための手段】
上記目的を達成するため本発明による請求項１記載のＸ線異物検出装置は
搬送部３にて搬送される被検査物にＸ線を曝射し、このＸ線の曝射に伴って前記被検査物を透過するＸ線の透過量から前記被検査物中の異物の有無を検出するＸ線異物検出装置において、
前記搬送部３の周囲を覆い、Ｘ線の漏洩を防止する被覆部１１と、
前記被覆部１１の少なくとも一部が、前記搬送部３の下側を覆う部位に連なる下端部を支点にして下方に開閉可能とされ、開放した際に上端部が前記下端部よりも下側に位置する所定角度で傾斜する開閉扉１１ｅと、を備え、さらに、前記開閉扉１１ｅの周縁にて内側に立設されて、閉鎖時のＸ線の漏洩を防止する縁板１６と、前記開閉扉の前記上端部における前記縁板の一カ所乃至複数箇所を完全に切り欠いて形成され、該完全に切り欠いて形成された部分を介して水抜きを行う水抜部１７と、前記開閉扉の閉鎖時に前記水抜部を塞ぐ閉塞部材２０と、を備えたことを特徴とする。
【０００７】
請求項２記載のＸ線異物検出装置は、請求項１記載のＸ線異物検出装置において、前記閉塞部材２０は、前記水抜部１７に嵌挿する板体により形成されたことを特徴とする。
【０００８】
請求項３記載のＸ線異物検出装置は、請求項１あるいは請求項２記載のＸ線異物検出装置において、
前記開閉扉１１ｅの閉鎖状態を係止する係止機構１８と、
該係止機構１８における前記開閉扉１１ｅの内側面の部位を覆う防水ケース１９と、
を備えたことを特徴とする。
【０００９】
【発明の実施の形態】
以下、本発明の実施の形態を図面を参照して具体的に説明する。
図１は本発明のＸ線異物検出装置の一例を示す斜視図である。
【００１０】
図１に示すように、Ｘ線異物検出装置は、主に、Ｘ線を発生するＸ線発生部１と、Ｘ線発生部１からのＸ線を受けるＸ線検出部２と、Ｘ線発生部１からＸ線検出部２の間に被検査物（不図示）を搬送する搬送部３とからなる。
【００１１】
Ｘ線発生部１は、Ｘ線を発生するＸ線管４の周囲を、遮蔽板にて覆うことにより、Ｘ線の漏洩を防ぐように構成されている。遮蔽板は、鉛等の遮蔽材が内貼りされてなる。Ｘ線発生部１は、Ｘ線異物検出装置の本体をなす筐体５の上部に配置され、下方に向けてＸ線を曝射させる。Ｘ線は、Ｘ線管４から下方に広がる略円錐状に曝射し、その後、Ｘ線発生部１の底部に形成されたスリット（不図示）を介して、図１に一点鎖線で示すように、下方に広がる面状となって曝射する。また、Ｘ線発生部１では、Ｘ線を発生した際に生じる熱を冷却フィン（不図示）にて放熱する。
【００１２】
Ｘ線検出部２は、Ｘ線異物検出装置の本体をなす筐体５の下部に配置され、上記Ｘ線発生部１から曝射されたＸ線を受けるように構成されている。本実施の形態でのＸ線検出部２は、金属製の収容ユニット６内に収容されている。収容ユニット６は、略平坦に形成された上面６ａにスリット７を有している。スリット７は、上面６ａの板金に横方向に延びるように穿設された長穴に、Ｘ線を透過させる樹脂材がシリコン材等で防水されて取り付けられてなる。このスリット７は、Ｘ線発生部１から曝射された面状のＸ線を通す。即ち、スリット７が形成された横方向とは、面状のＸ線を通し得る方向である。収容ユニット６のスリット７を通ったＸ線は、収容ユニット６内に配置されたＸ線検出部２で受ける。Ｘ線検出部２では、このＸ線を光変換し、不図示のＸ線処理部に出力する。なお、収容ユニット６は、筐体５側に固定される。
【００１３】
搬送部３は、Ｘ線発生部１からＸ線検出部２に向けて曝射された面状のＸ線に被検査物を通過させるものである。図１に示すように、搬送部３は、主に、ローラ８（８ａ，８ｂ，８ｃ，８ｄ）と、モータユニット９と、搬送ベルト１０とからなる。また、搬送部３を構成するローラ８及び搬送ベルト１０は、Ｘ線検出部２が収容された収容ユニット６に対して着脱自在に取り付けられている。この搬送部３は、モータユニット９の駆動により、ローラ８ｄが回転し、各ローラ８ａ，８ｂ，８ｃ，８ｄ間に張設された搬送ベルト１０を一方向に循環させる。搬送ベルト１０の循環は、Ｘ線発生部１から面状に曝射されたＸ線を受ける収容ユニット６のスリット７と直交する縦方向（前後方向）となる。また、搬送ベルト１０は、収容ユニット６の上面６ａに沿って循環する。これにより、搬送ベルト１０の上に送られた被検査物は、収容ユニット６の上面６ａを支持面として、Ｘ線発生部１からＸ線検出部２に至る面状のＸ線の間を通過するようにして搬送される。
【００１４】
図１に示すように、Ｘ線検出部２を収容する収容ユニット６、及び収容ユニット６に取り付けられた搬送部３の構成は、被覆部１１によってＸ線の漏洩を防ぐように覆われている。被覆部１１は、搬送部３の上側を覆う天板１１ａと、搬送部３の下側を覆う底板１１ｂと、搬送部３の背面側を覆う背板１１ｃとを有して筐体５の一部を構成してなり、これら天板１１ａ、底板１１ｂ、背板１１ｃの他の部位にて開放された前側および後側が各側部カバー１１ｄにて閉塞され、正面が開閉扉１１ｅにて閉塞される。また、各側部カバー１１ｄには、ローラ８ａ，８ｄ及びその上側にかけて開口し、被検査物を通過させる開口部１２が形成されている。なお、底板１１ｂは、正面に向かって下向きに傾斜して配設されている。
【００１５】
図２及び図３に示すように、開閉扉１１ｅは、搬送部３の下側を覆う底板１１ｂに連なる下端部が、支持軸１３を介して支持されている。開閉扉１１ｅは、支持軸１３を支点として下方に開閉可能である。支持軸１３には、付勢バネ１４が巻装されており、開閉扉１１ｅは付勢バネ１４によって閉鎖方向に付勢される。これにより、開閉扉１１ｅを開放する際に、開閉扉１１ｅが突然開かないようにしている。また、開閉扉１１ｅは、付勢バネ１４の付勢力に抗して開放し、上端部（開放端部）が下端部よりも下側に位置する所定角度で傾斜するようにストッパ１５によって支持される。前記所定角度は、垂直に対して９０°以上であり、本実施の形態では１３５°を適宜としている。
【００１６】
図４に示すように、開閉扉１１ｅは、その周縁にて内側に立設された縁板１６を有している。この縁板１６は、開閉扉１１ｅの上端部では板状に形成され、その他の部分では略Ｌ字状に折り曲げ形成されている。この縁板１６は、開閉扉１１ｅの閉鎖時にＸ線の漏洩を好適に防ぐ。なお、前記付勢バネ１４は、開閉扉１１ｅの下端部にある縁板１６に連結される。
【００１７】
図２および図４に示すように、開閉扉１１ｅの上端部にある縁板１６には、水抜部１７が設けられている。水抜部１７は、縁板１６を切り欠いて形成されており、本実施の形態では二箇所設けられている。この水抜部１７は、前記二箇所に限定されず一つ乃至複数個設けられていればよい。また、水抜部１７は、図５に示されるように、縁板１６の部分を完全に切り欠いて形成される。
【００１８】
また、開閉扉１１ｅには、その閉鎖状態を係止する係止機構１８が設けられている。係止機構１８は、主に、開閉扉１１ｅの外側面に表出されたレバー１８ａと、開閉扉１１ｅの内側にて筐体５側に係脱するラッチ部１８ｂとからなる。ラッチ部１８ｂは、開閉扉１１ｅの閉鎖時に筐体５側の不図示の係止穴に係止して開閉扉１１ｅの閉鎖状態を維持する。そして、ラッチ部１８ｂは、レバー１８ａを操作することにより前記係止穴の係止が外れて開閉扉１１ｅを開放可能とする。このレバー１８ｂの操作によってラッチ部１８ｂを動作させる構成（不図示）は、開閉扉１１ｅの内側面に配設され、防水ケース１９によって覆われている。防水ケース１９は、開閉扉１１ｅの内側面にて、ラッチ部１８ｂの先端のみ表出させる。なお、開閉扉１１ｅの内側面は、防水ケース１９を除いて突起する構成を無くしている。
【００１９】
開閉扉１１ｅが閉鎖状態となる際、上記水抜部１７は、閉塞部材２０によって閉塞される。図５に示すように、閉塞部材２０は、水抜部１７に嵌挿する板体をなし、開閉扉１１ｅの上端部が沿う天板１１ａ側に設けられている。すなわち、開閉扉１１ｅを閉塞した際に、閉塞部材２０が水抜部１７に嵌挿する。
【００２０】
上述したＸ線異物検出装置では、搬送部３にて被検査物を搬送しながらＸ線を曝射して異物検出を行う。その後、異物検出を行った際に搬送部３から被覆部１１内に流れ落ちたゴミのを除去するために清掃を行う。清掃にあたっては、図２に示すように開閉扉１１ｅを開放して、被覆部１１内に洗浄水を流す。被覆部１１内に噴射された洗浄水はゴミとともに底板１１ｂに流れ、さらに底板１１ｂの傾斜に沿って正面の開閉扉１１ｅ側に流れる。開閉扉１１ｅに至った洗浄水は、開閉扉１１ｅの傾斜に沿って内側面を伝って水抜部１７を介して筐体５の外部に流出する。
【００２１】
このように、上記Ｘ線異物検出装置では、開閉扉１１ｅを上端部が下端部よりも下側となるように所定角度に傾斜させ、且つ、上端部に水抜部１７を設けたため、清掃を行った際の洗浄水を適宜筐体５の外部に流出させるので、洗浄水およびゴミを滞留させることなく、清掃性を向上させて衛生に適することが可能である。
【００２２】
また、開閉扉１１ｅを閉鎖状態とした際には、水抜部１７を閉塞部材２０で塞ぐので、異物検出を行う際のＸ線の漏洩を防止することが可能である。
【００２３】
また、開閉扉１１ｅの内側面において、開閉扉１１ｅを閉鎖状態で係止する係止機構が、防水ケース１９で覆われているので、係止機構にゴミが付着することがない。
【００２４】
なお、上述した実施の形態では、筐体の正面側を開閉扉１１ｅとして構成しているが、被覆部１１の一部として、背板１１ｃや側部カバー１１ｄを同様の構成にて開閉するように構成してもよい。
【００２５】
【発明の効果】
以上説明したように本発明によるＸ線異物検出装置は、搬送部を覆う被覆部を開閉する開閉扉を、上端部が下端部よりも下側となるように所定角度に傾斜させて開放するようにした。これにより、被覆部内を洗浄した洗浄水やゴミを適宜装置の外部に流出させるので、洗浄水およびゴミを滞留させることなく、清掃性を向上させて衛生に適することができる。
【００２６】
また、開閉扉の上端部において、開閉扉の閉鎖時にＸ線の漏洩を防止する縁板に水抜部を設け、且つ、開閉扉の閉塞時には水抜部を塞ぐ閉塞部材を備えている。これにより、異物検査時のＸ線の漏洩を適宜防止した上で、清掃時に開閉扉を伝う洗浄水を好適に装置の外部に流出させることができる。
【００２７】
また、開閉扉の内側面にて、開閉扉の閉鎖状態を係止する係止機構を覆う防水ケースを備えている。これにより、清掃時に係止機構にゴミが付着することがなく衛生に適することができる。
【図面の簡単な説明】
【図１】本発明のＸ線異物検出装置の一例を示す斜視図。
【図２】同Ｘ線異物検出装置の正面図。
【図３】同Ｘ線異物検出装置の側面図。
【図４】開閉扉の平面図。
【図５】閉塞部材を示す斜視図。
【符号の説明】
３…搬送部、１１…被覆部、１１ｅ…開閉扉、１６…縁板、１７…水抜部、１８…係止機構、１９…防水ケース、２０…閉塞部材。
【図１】
0003577297.tif 000002
【図２】
0003577297.tif 000003
【図３】
0003577297.tif 000004
【図４】
0003577297.tif 000005
【図５】
0003577297.tif 000006